(57)【要約】【課題】  壁面パネルの裏側に形成した点検又は収納スペース等への台車及び人の通行の邪魔にならないと共に壁面パネル全体の外観の連続性及び統一性に優れた開閉可能な壁面装置を得る。【解決手段】  上部に配設された吊下用ガイドレール４により支持される、少なくとも１枚のスライドパネル３及び該スライドパネル３に隣接する少なくとも１枚の折戸パネル２を備え、スライドパネル３及び折戸パネル２を吊下用ガイドレール４の前面を覆うように配設した前吊り構造とした。【選択図】        図１
2005188273.tif 000002
【特許請求の範囲】
【請求項１】
上部に配設された吊下用ガイドレールにより支持される、少なくとも１枚のスライドパネル及び該スライドパネルに隣接する少なくとも１枚の折戸パネルを備え、前記スライドパネル及び折戸パネルを前記吊下用ガイドレールの前面を覆うように配設した前吊り構造としてなる開閉可能な壁面装置。
【請求項２】
前記折戸パネルを構成する２枚のパネル体の隣接側辺同士をセンターヒンジにより折り畳み可能に連結すると共に、前記吊下用ガイドレールに係合するランナー本体と、前記２枚のパネル体の前記隣接側辺以外の前記スライドパネル側の遊側辺近傍の前記パネル体の裏面に直接又は間接に取着されたランナーベースと、前記ランナー本体及びランナーベースを前記吊下用ガイドレール下部で鉛直回動軸まわりに回動可能に連結する連結体とからなるランナーを備え、前記ランナーベースを前記パネル体の前記スライドパネル側の遊側辺から延出させて、前記鉛直回動軸を前記折戸パネルを折り畳む動作により前記遊側辺と前記吊下用ガイドレールの前面とが干渉しない位置に配設すると共に、前記折戸パネルを閉じた状態において、前記折戸パネルのパネル体の遊側辺からの前記ランナーベースの延出部を前記スライドパネルにより覆ってなる請求項１記載の開閉可能な壁面装置。
【請求項３】
前記スライドパネルの後面下部に水平方向に長く形成した振れ止めカバーを取着し、前記スライドパネルの後面下部及び振れ止めカバーにより床面に固定された振れ止めを挟むことにより前記スライドパネルの下部をガイドしてなる請求項１又は２記載の開閉可能な壁面装置。
【請求項４】
前記吊下用ガイドレールが、固定パネルを装着するための天レール又は横桟の延長部分に直接又は間接に固定され、前記スライドパネル及び折戸パネルの上部が前記天レール又は横桟の前面を部分的に覆ってなる請求項１〜３のいずれかに記載の開閉可能な壁面装置。
【請求項５】
前記スライドパネルと前記折戸パネルの対向する側辺間に当該側辺同士を連結するための閉止装置を設け、該折戸パネルを閉じる動作により前記閉止装置が連結し、前記スライドパネルが連動して閉じるようになした請求項１〜４のいずれかに記載の開閉可能な壁面装置。
【請求項６】
前記閉止装置が、前記スライドパネルにおける前記折戸パネルに対向する側の側辺に、該折戸パネルに向けて突出する突起部を設け、該折戸パネルにおける前記スライドパネルに対向する側の遊側辺に、前記突起部を囲うように斜め後方に延びる案内面を有し且つ前記突起部の前側に延び、前記突起部を受け入れる抱持部を設けてなる請求項５記載の開閉可能な壁面装置。
【請求項７】
前記突起部に、前記抱持部に当接する凸状曲面を設けるとともに、前記抱持部に、前記案内面に連続し且つ前記凸状曲面に対して面接触する凹状曲面を設けてなる請求項６記載の開閉可能な壁面装置。
【請求項８】
前記突起部を弾性部材で構成するとともに、前記抱持部における突起部前側に延びた部位に、当該折戸パネルを閉じた状態において受け入れた前記突起部の前側部分を係止する係止爪を設けてなる請求項６又は７記載の開閉可能な壁面装置。
【発明の詳細な説明】
【技術分野】
【０００１】
本発明は、壁面構造を構成すると共に自由な位置に開口を得ることができる開閉可能な壁面装置に関するものである。
【背景技術】
【０００２】
従来の壁面構造を構成する壁面パネルは、天井に固定され水平方向に延びる天レールと床面に固定され水平方向に延びる地レールとの間に多数の支柱を立設させ、これらに囲まれる矩形状の空間を塞ぐように多数の固定パネルを取り付けて構成されるものである。また、このように構成される壁面を開閉可能に構成して、壁面パネルの裏側に形成した点検又は収納スペース等へのアクセスを可能にした壁面装置としては、前記天レール及び地レールを利用して、前記天レール及び地レールにガイドレール等を設けてスライドパネルを支持すると共に、前記支柱に開き戸パネルを蝶着して、該開き戸パネルを開いて前記スライドパネルをスライドさせるように構成したものがある。また、前記固定パネルにより構成される壁面パネルの一部を複数の折戸を連続して設けてなるアコーディオン方式の壁面パネルとしたものもある。
【発明の開示】
【発明が解決しようとする課題】
【０００３】
以上のような従来の開閉可能な壁面装置は、前記天レール及び地レールにガイドレール等を設けてスライドパネルを支持するものにあっては、自由な位置に開口を得ることができるものではあるが、床面上に地レール及びガイドレールがあるため、壁面パネルの裏側に形成した点検又は収納スペース等へのアクセス性が悪いという問題点があった。特に、前記スペースへの台車等による機材の搬入及び搬出等の作業をスムーズにかつ安全に行うことができないという問題点があった。また、前記スライドパネルをスライドさせるために前記開き戸パネルを開いた場合に、デッドスペースが大きくなるという問題点があった。さらに、前記アコーディオン方式の壁面パネルを設けたものにあっては、多数の上下方向の折れ線が見えるため、前記固定パネルとの外観の連続性及び統一性に欠けるという問題点があった。
【０００４】
本発明は、前記のような問題点を解決するためになされたものであり、前記スライドパネルを支持するための床面上の地レール及びガイドレールを無くすことができるため、前記点検又は収納スペース等への台車及び人の通行の邪魔にならないようにすることができる開閉可能な壁面装置を得ることを目的とする。また、デッドスペースを小さくすることができる開閉可能な壁面装置を得ることを目的とする。さらに、固定パネルを含め壁面パネル全体の外観の連続性及び統一性に優れた開閉可能な壁面装置を得ることを目的とする。
【課題を解決するための手段】
【０００５】
本発明に係る開閉可能な壁面装置は、前記課題解決のために、上部に配設された吊下用ガイドレールにより支持される、少なくとも１枚のスライドパネル及び該スライドパネルに隣接する少なくとも１枚の折戸パネルを備え、前記スライドパネル及び折戸パネルを前記吊下用ガイドレールの前面を覆うように配設した前吊り構造としてなるものである。
【０００６】
ここで、前記折戸パネルを構成する２枚のパネル体の隣接側辺同士をセンターヒンジにより折り畳み可能に連結すると共に、前記吊下用ガイドレールに係合するランナー本体と、前記２枚のパネル体の前記隣接側辺以外の前記スライドパネル側の遊側辺近傍の前記パネル体の裏面に直接又は間接に取着されたランナーベースと、前記ランナー本体及びランナーベースを前記吊下用ガイドレール下部で鉛直回動軸まわりに回動可能に連結する連結体とからなるランナーを備え、前記ランナーベースを前記パネル体の前記スライドパネル側の遊側辺から延出させて、前記鉛直回動軸を前記折戸パネルを折り畳む動作により前記遊側辺と前記吊下用ガイドレールの前面とが干渉しない位置に配設すると共に、前記折戸パネルを閉じた状態において、前記折戸パネルのパネル体の遊側辺からの前記ランナーベースの延出部を前記スライドパネルにより覆ってなると好ましい。
【０００７】
また、前記スライドパネルの後面下部に水平方向に長く形成した振れ止めカバーを取着し、前記スライドパネルの後面下部及び振れ止めカバーにより床面に固定された振れ止めを挟むことにより前記スライドパネルの下部をガイドしてなると好ましい。
【０００８】
さらに、前記吊下用ガイドレールが、固定パネルを装着するための天レール又は横桟の延長部分に直接又は間接に固定され、前記スライドパネル及び折戸パネルの上部が前記天レール又は横桟の前面を部分的に覆ってなると好ましい。
【０００９】
また、前記スライドパネルと前記折戸パネルの対向する側辺間に当該側辺同士を連結するための閉止装置を設け、該折戸パネルを閉じる動作により前記閉止装置が連結し、前記スライドパネルが連動して閉じるようになしたものが好ましい。
【００１０】
また、前記スライドパネルにおける前記折戸パネルに対向する側の側辺に、該折戸パネルに向けて突出する突起部を設け、該折戸パネルにおける前記スライドパネルに対向する側の遊側辺に、前記突起部を囲うように斜め後方に延びる案内面を有し且つ前記突起部の前側に延び、前記突起部を受け入れる抱持部を設けてなると好ましい。
【００１１】
また、前記突起部に、前記抱持部に当接する凸状曲面を設けるとともに、前記抱持部に、前記案内面に連続し且つ前記凸状曲面に対して面接触する凹状曲面を設けてなると好ましい。
【００１２】
さらに、前記突起部を弾性部材で構成するとともに、前記抱持部における突起部前側に延びた部位に、当該折戸パネルを閉じた状態において受け入れた前記突起部の前側部分を係止する係止爪を設けてなると好ましい。
【発明の効果】
【００１３】
本発明に係る開閉可能な壁面装置によれば、上部に配設された吊下用ガイドレールにより支持される、少なくとも１枚のスライドパネル及び該スライドパネルに隣接する少なくとも１枚の折戸パネルを備え、前記スライドパネル及び折戸パネルを前記吊下用ガイドレールの前面を覆うように配設した前吊り構造としたので、前記スライドパネルを支持するための床面上の地レール及びガイドレールを無くすことができるため、壁面パネルの裏側に形成した点検又は収納スペース等への台車及び人の通行の邪魔にならない。また、デッドスペースを小さくすることができる。さらに、固定パネルを含め壁面パネル全体の外観の連続性及び統一性を向上することができる。
【００１４】
また、前記折戸パネルを構成する２枚のパネル体の隣接側辺同士をセンターヒンジにより折り畳み可能に連結すると共に、前記吊下用ガイドレールに係合するランナー本体と、前記２枚のパネル体の前記隣接側辺以外の前記スライドパネル側の遊側辺近傍の前記パネル体の裏面に直接又は間接に取着されたランナーベースと、前記ランナー本体及びランナーベースを前記吊下用ガイドレール下部で鉛直回動軸まわりに回動可能に連結する連結体とからなるランナーを備え、前記ランナーベースを前記パネル体の前記スライドパネル側の遊側辺から延出させて、前記鉛直回動軸を前記折戸パネルを折り畳む動作により前記遊側辺と前記吊下用ガイドレールの前面とが干渉しない位置に配設すると共に、前記折戸パネルを閉じた状態において、前記折戸パネルのパネル体の遊側辺からの前記ランナーベースの延出部を前記スライドパネルにより覆ってなるので、前記連結体の軸受等の選択により容易に耐荷重を上げることができ、壁面構造を構成する点検扉等として用いる重量パネル体からなる折戸パネルにより当該壁面装置を構成することができると共に前記延出部が当該壁面装置の前側から見えないため意匠性が向上する。また、前記折戸の折り畳み時において、前記吊下用ガイドレール下部で前記鉛直回動軸まわりに前記ランナーが回動して該ランナー等が干渉しないため、前記折戸の折り畳み幅を小さくすることができ、大きな開口面積を得ることができる。さらに、前記ランナーが簡素な構成であると共に可動部分が少ないため、摩擦力による抵抗が比較的小さくなり、前記折戸の開閉力をより小さくすることができる。さらにまた、前記ランナーの簡素な構成により、前記折戸の耐久性及び信頼性を向上させることができる。また、前記センターヒンジから前記鉛直回動軸までの距離が長いため、前記折戸の開閉力がさらに小さくなる。
【００１５】
さらに、前記スライドパネルの後面下部に水平方向に長く形成した振れ止めカバーを取着し、前記スライドパネルの後面下部及び振れ止めカバーにより床面に固定された振れ止めを挟むことにより前記スライドパネルの下部をガイドしてなるので、前記スライドパネルの前記吊下用ガイドレールに沿う水平方向の移動の容易化及び安定化を図ることができる。また、床面には前記振れ止めが固定されるのみであり、この振れ止めは前記振れ止めカバーにより覆われて外部からは見えないため、安全性及び意匠性が向上する。さらに、前記スライドパネルを開けた状態において、その開口下部には振れ止め等の支持部材がないため、壁面パネルの裏側に形成した点検又は収納スペース等への台車及び人の通行の邪魔にならない。
【００１６】
さらにまた、前記吊下用ガイドレールが、固定パネルを装着するための天レール又は横桟の延長部分に直接又は間接に固定され、前記スライドパネル及び折戸パネルの上部が前記天レール又は横桟の前面を部分的に覆ってなるので、固定パネルを含め壁面パネル全体の外観の連続性及び統一性をさらに向上することができる。
【００１７】
また、前記スライドパネルと前記折戸パネルの対向する側辺間に当該側辺同士を連結するための閉止装置を設け、該折戸パネルを閉じる動作により前記閉止装置が連結し、前記スライドパネルが連動して閉じるようになしたので、前記閉止装置により双方のパネルが連結することでガタツキ及びそれによる振動・騒音が防止できる。また、スライドパネルを連動して閉じることができるので操作性が向上する。
【００１８】
また、前記スライドパネルにおける前記折戸パネルに対向する側の側辺に、該折戸パネルに向けて突出する突起部を設け、該折戸パネルにおける前記スライドパネルに対向する側の遊側辺に、前記突起部を囲うように斜め後方に延びる案内面を有し且つ前記突起部の前側に延び、前記突起部を受け入れる抱持部を設けてなるので、万一指を挟んでも痛くなく、閉止状態におけるガタツキも防止できる。折戸パネルを閉じる際には、スライドパネルと同一平面上に近づくに従い、突起部が案内面に案内されながら次第に抱持部の内部に深く誘い込まれ、双方のパネルを確実に閉止できるのであり、たとえば、折戸パネルがスライドパネルに対して傾斜している開放状態において、抱持部の案内面に突起部を接触させることで、この状態から折戸パネルを閉じればパネル体が閉じる方向に押され、折戸パネルを操作するだけで双方のパネルを閉じることができるのであり、同様に、閉じた状態からスライドパネルを折戸パネル側に開けば、ある程度傾斜した後の折戸パネルは突起部に押され、スライドパネルを操作するだけで双方のパネルを開くことができるのである。
【００１９】
また、前記突起部に、前記抱持部に当接する凸状曲面を設けるとともに、前記抱持部に、前記案内面に連続し且つ前記凸状曲面に対して面接触する凹状曲面を設けてなるので、双方のパネルをスムーズに閉じることができ、曲面であるので万一指を挟んでも指への影響は少なくなる。
【００２０】
さらに、前記突起部を弾性部材で構成するとともに、前記抱持部における突起部前側に延びた部位に、当該折戸パネルを閉じた状態において受け入れた前記突起部の前側部分を係止する係止爪を設けてなるので、双方のパネルが閉じた状態で安定保持でき、万一指を挟んでも影響は少なく、ガタツキによる騒音も確実に防止される。
【発明を実施するための最良の形態】
【００２１】
次に、本発明の実施形態を添付図面に基づき詳細に説明する。
【００２２】
図１は、本発明に係る開閉可能な壁面装置１の全体構成を示す正面図であり、図中符号１は壁面装置、２は折戸パネル、３はスライドパネル、４は吊下用ガイドレールをそれぞれ示している。
【００２３】
本発明の壁面装置１は、図１に示すように、折戸パネル２，２及び折戸パネル２，２間に配設されたスライドパネル３，３、並びに、折戸パネル２，２及びスライドパネル３，３を支持する吊下用ガイドレール４等により構成されている。また、折戸パネル２，２のパネル体５，５・・・及びスライドパネル３，３のパネル体１１，１１は、天井ＣＬ近傍から床面ＦＬ近傍にわたる、例えばスチール製等の重量パネル体であり、折戸パネル２，２及びスライドパネル３，３の上部が天レール１２の前面を部分的に覆っている。したがって、折戸パネル２，２及びスライドパネル３，３は、吊下用ガイドレール４の前面を覆うように、吊下用ガイドレール４より支持される前吊り構造となっている。
【００２４】
先ず、図１〜８に基づき本発明の第１実施形態を説明する。
【００２５】
図１に示すように、左側の折戸パネル２の左側には固定パネル２３，２３・・・が配設されている。固定パネル２３，２３・・・は、天井ＣＬに固定され水平方向に延びる天レール１２と床面ＦＬ上に固定され水平方向に延びる地レール２４との間に多数の支柱２５，２５を立設させ、これらに囲まれる矩形状の空間を塞ぐように装着されている。なお、折戸パネル２，２及びスライドパネル３，３下の床面ＦＬには、地レール２４を無くしている。また、折戸パネル２，２及びスライドパネル３，３が前記前吊り構造であるため、図１のように、固定パネル２３，２３と折戸パネル２，２及びスライドパネル３，３とにより構成される壁面パネル全体の外観の連続性及び統一性が保たれている。さらに、複数の折戸を連続して設けてなるアコーディオン方式の壁面パネルと比較して、上下方向の折れ線の数が減少する構成となっており、固定パネルを含む壁面パネル全体の外観の連続性及び統一性が向上している。
【００２６】
図１及び図２に示すように、折戸パネル２，２は、２枚のパネル体５，５の隣接側辺５ａ，５ａ同士をセンターヒンジ６，６・・・により折り畳み可能に連結されている。左側の折戸パネル２の固定パネル２３側のパネル体５の側辺５ｂは、ヒンジ７，７・・・を介して、固定パネル２３の支柱２５に対して鉛直回動軸まわりに回動可能となっている。また、右側の折戸パネル２の側壁ＳＷ側のパネル体５の側辺５ｂはヒンジ７，７・・・を介して支柱８に対して鉛直回動軸まわりに回動可能となっている。また、折戸パネル２，２のスライドパネル３，３側のパネル体５の遊側辺５ｃには該パネル体５の後面にランナー９が取着されており、該ランナー９が吊下用ガイドレール４に支持されて該吊下用ガイドレール４に沿って水平方向に移動可能に構成されているため、引手１０を持って折戸パネル２を折り畳むことにより折戸パネル２を開けることができる。また、同様に折戸パネル２を閉じることも容易に行うことができる。
【００２７】
図１、図３及び図４に示すように、吊下用ガイドレール４は、天井ＣＬに固定された、固定パネル２３を装着するための天レール１２の延長部分に取着されたレール受け１３により支持されているが、壁面パネルの構成によっては、固定パネル２３を装着するための横桟の延長部分に取着されたレール受け１３により支持してもよい。なお、前記天レール１２の延長部分又は前記横桟の延長部分により吊下用ガイドレール４を直接支持してもよい。また、吊下用ガイドレール４が前記横桟の延長部分により直接又は間接に支持される場合には、該横桟の延長部分は、その前面をスライドパネル３及び折戸パネル２の上部により覆われる。
【００２８】
図３には支柱８も示しているが、支柱８は床面ＦＬに固定された吊木１４のボルトにアジャスター１５を螺合させることにより強固に固定されている。なお、支柱２５も同様の構成である。さらに、図４に示すように、スライドパネル３のパネル体１１の後面下部に振れ止めカバー１７を取着しており、床面ＦＬに固定された振れ止め１６をスライドパネル３下部及び振れ止めカバー１７によりガイドすることにより、前記スライドパネル３，３の吊下用ガイドレール４に沿う水平方向の移動の容易化及び安定化を図っている。
【００２９】
図１及び図３に示すように、折戸パネル２，２下部には、床面ＦＬ上に地レール及びガイドレール等の支持部材がないため、折戸パネル２，２を開けた開口下部の床面ＦＬには台車及び人等の通行の邪魔になる障害物がない構成となっている。したがって、開閉可能な壁面装置１をオフィス等における設備の点検又は収納等を行うスペースの壁面パネルとして使用した場合に、該スペースへの台車等による機材の搬入及び搬出等の作業をよりスムーズにかつ安全に行うことができる。なお、必要に応じて、折戸パネル２，２と床面ＦＬとの間にはマグネットキャッチ等の支持手段を設けることもできる。
【００３０】
なお、図２において、パネル体５，５の隣接側辺５ａ，５ａ間の間隙には、アクリロニトリルブタジエンゴム若しくはウレタンゴム等のゴム又はポリアセタール若しくはポリプロピレン等のプラスチック等からなる指詰め防止材２０を設けており、より安全性を高めている。また、パネル体５，５の隣接側辺５ａ，５ａ間の間隙を若干大きくすれば、この間隙を引手１０の代わりとして用いることもでき、引手１０を無くすこともできる。
【００３１】
図５は折戸パネルのパネル体後面へ取着するランナーの構造を示す説明用斜視図である。ランナー９は、吊下用ガイドレール４に係合し該吊下用ガイドレール４に沿って移動可能なローラー１８，１８・・・を備えたランナー本体９ａ、折戸パネル２のパネル体５の遊側辺５ｃ近傍のパネル体５の裏面にライナー１９を介して又は直接取着されるランナーベース９ｂ、ランナー本体９ａとランナーベース９ｂとを吊下用ガイドレール４下部で鉛直回動軸Ａまわりに回動可能に連結する連結体９ｃ（ランナーベース９ｂに係合すると共に該係合部とランナー本体９ａとが前記鉛直回動軸Ａまわりに回動するように、図示しない軸受及び軸等により構成される。）により構成されている。なお、連結体９ｃの側面にはスライドパネル３との衝突時の衝撃及び騒音を抑制するゴム等からなる緩衝材９ｄが取着され、ランナーベース９ｂには意匠面等の配慮からランナーベースカバー９ｅが取着される。
【００３２】
図６は折戸パネルの動作説明用平面図である。ランナーベース９ｂはパネル体５の遊側辺５ｃから延出させて該パネル体５の後面に取着されており（該ランナーベース９ｂの延出部は図６のＢ参照。）、ランナーベース９ｂとランナー本体９ａとの鉛直回動軸Ａの位置は、ランナーベース９ｂが取着されたパネル体５の遊側辺５ｃからセンターヒンジ６側と反対方向に所定距離だけ離れた位置となっている。したがって、図６のように折戸パネル２を折り畳む動作（矢印Ｃ１ないしＣ４参照。）によっても、ランナーベース９ｂが取着されたパネル体５の遊側辺５ｃと吊下用ガイドレール４の前面４ａとが干渉しないように構成されている。
【００３３】
また、折戸パネル２のパネル体５，５の折り畳み時において、吊下用ガイドレール４下部で鉛直回動軸Ａまわりにランナー９が回動してランナー９等が干渉しないため、吊下用ガイドレール４に沿う水平方向の寸法（折戸パネルの折り畳み幅）を小さくすることができる。したがって、大きな開口面積を得ることができる。なお、前記ランナーベースの延出部Ｂは、天井下部の吊下用ガイドレール４の直下を水平方向に移動するものであり、邪魔になることはない。また、図１及び図２に示すように、開閉可能な壁面装置１の各パネル体を閉じた状態において、前記ランナーベースの延出部Ｂは折戸パネル２に隣接するスライドパネル３により覆われており、前記延出部Ｂが開閉可能な壁面装置１の前側から見えないように構成されているため、外観上問題となることはない。
【００３４】
以上のとおり、壁面装置１における折戸パネル２は、吊下用ガイドレールから前方に離隔した鉛直回動軸を有するヒンジによりパネル体の荷重を支える構成ではなく、ランナー本体９ａ、ランナーベース９ｂ及び連結体９ｃとからなるランナー９によりパネル体５，５の荷重を支えるものである。したがって、ランナー本体９ａとランナーベース９ｂとを吊下用ガイドレール４下部で鉛直回動軸Ａまわりに回動可能に連結する連結体９ｃの軸受及び軸等の選択により容易に耐荷重を上げることができるため、例えばスチール製等の重量パネル体５，５を吊り下げて折戸パネル２とすることができる。また、ランナー９は前記のとおり簡素な構成であると共に可動部分が少ないため、摩擦力による抵抗が比較的小さくなり、折戸パネル２の開閉力をより小さくすることができる。さらに、前記ランナー９の簡素な構成により、折戸パネル２の耐久性及び信頼性を向上させることができる。さらにまた、センターヒンジ６から鉛直回動軸Ａまでの距離が長いため、折戸パネル２の開閉力がさらに小さくなる。
【００３５】
図１、図２及び図４に示すように、スライドパネル３は、パネル体１１の後面にランナー９が取着されており、該ランナー９が吊下用ガイドレール４に支持されて吊下用ガイドレール４に沿って水平方向に移動可能なため、スライドパネル３，３を吊下用ガイドレール４に沿って水平方向に移動させることができる。また、図７はスライドパネル下部の振れ止めの構造を示す説明用斜視図である。ローラー１６ａ，１６ａを有する、床面ＦＬに固定された振れ止め１６を、スライドパネル３のパネル体１１の後面下部と水平方向に長く形成した振れ止めカバー１７とにより挟むように、パネル体１１の後面下部のねじ穴２１，２１・・・にボルト２２，２２・・・を螺合させて振れ止めカバー１７を固定する構造となっている。このような構成により、前記のとおりスライドパネル３，３の吊下用ガイドレール４に沿う水平方向の移動の容易化及び安定化を図ることができる。また、床面ＦＬには振れ止め１６が固定されるのみであり、この振れ止め１６は振れ止めカバー１７により覆われて外部からは見えないため、安全上及び意匠上も好ましい構成であるといえる。さらに、スライドパネル３を開けた状態において、その開口下部には振れ止め等の支持部材がないため、スライドパネル３，３を開けた開口下部の床面ＦＬには台車及び人等の通行の邪魔になる障害物がない構成となっている。したがって、開閉可能な壁面装置１をオフィス等における設備の点検又は収納等を行うスペースの壁面パネルとして使用した場合に、該スペースへの台車等による機材の搬入及び搬出等の作業をよりスムーズにかつ安全に行うことができる。
【００３６】
図８は壁面装置１の構成例を示す説明図であり、図８（ａ）は正面図、図８（ｂ）ないし（ｄ）は動作説明用平面図である。なお、図１及び図２と同一符号は同一又は相当部分を示している。図８に示す壁面装置１の構成は、収納又は点検スペースＳの前面を中央の１枚のスライドパネル３及び該スライドパネル３の左右に配設した折戸パネル２，２により覆った例を示している。なお、折戸パネル２，２の構成は図１及び図３の構成と同様であり、スライドパネル３の構成は図１及び図４の構成と同様である。このような構成により、折戸パネル２，２を開けることにより生じる開口によるアクセススペースＤ，Ｄ及びスライドパネル３を開けることにより生じる開口によるアクセススペースＥにより、収納又は点検スペースＳ内に容易にアクセスすることができる。また、前記のとおり、アクセススペースＤ，Ｄ，Ｅの床面ＦＬには台車及び人等の通行の邪魔になる障害物がない構成となっているため、台車等による機材の搬入及び搬出等の作業をよりスムーズにかつ安全に行うことができる。
【００３７】
なお、図８の構成は、折戸パネル２，２に側壁ＳＷ，ＳＷが隣接する場合を示しているが、折戸パネル２，２の側面には、スライドパネル、固定パネル等を適宜配設することができる。また、折戸パネル２，２に隣接するスライドパネル３は、図８のようにスライドパネル３を１枚とする構成又は図１のようにスライドパネル３を２枚とする構成等、スライドパネル３の幅及び枚数は適宜選択することができる。さらに、スライドパネル３に隣接する折戸パネル２は、図１及び図８のように両隣に隣接させずに、いずれか一方のみであってもよい。
【００３８】
また、開閉可能な壁面装置１には、スライドパネル３を設けているため、折戸パネル２及びスライドパネル３を閉じた状態において、前記のとおりランナーベース９ｂの延出部Ｂが折戸パネル２に隣接するスライドパネル３により覆われるため外観上問題となることはない。さらに、多数のスライドパネル３，３・・・を含めることにより、特に収納又は点検スペースＳの幅Ｗが大きい場合に、開閉可能な壁面装置１の前面に見える上下方向の線（例えば、図８（ａ）のＬ１，Ｌ２参照。）の数を少なくすることができるため、開閉可能な壁面装置１全体の意匠性を向上することができる。さらにまた、固定パネルを含めて壁面パネルを形成する場合において、壁面パネル全体の外観の連続性及び統一性に優れた開閉可能な壁面装置を得ることができる。また、図１又は図８等の折戸パネル２とスライドパネル３とを組み合わせてなる構成は、開き戸とスライドパネルを組み合わせてなる構成と比較して、（１）前記のとおり地レール及びガイドレール等がないため台車及び人等の通行の邪魔になる床面上の障害物を無くすことができること、（２）扉を開けた際のデッドスペースを小さくできること、等の特徴を有するものである。
【００３９】
次に、図９〜１５に基づき本発明の第２実施形態を説明する。
【００４０】
本実施形態の壁面装置１Ａは、図１０に示すように、スライドパネル３と折戸パネル２の対向する側辺１１ｃ、５ｃの間に、当該側辺同士を連結するための閉止装置３０を設け、該折戸パネル２を閉じる動作により前記閉止装置３０が連結し、スライドパネル３が連動して閉じるようになしたので、具体的には、スライドパネル３における折戸パネル２に対向する側の側辺１１ｃに、該折戸パネル２に向けて突出する突起部３１が設けられており、また、該折戸パネル２における前記スライドパネル３に対向する側の遊側辺５ｃには、前記突起部３１を受け入れる抱持部３２が設けられている。抱持部３２は、より詳しくは、前記突起部３１を囲うように斜め後方に延びる案内面３３を有し且つ前記突起部３１の前側に延びる部分を有している。このような突起部３１と抱持部３２を設けることで、互いの側辺を誘い込み合着する閉止装置３０が構成されている。
【００４１】
図１４（ａ）に示すように、突起部３１は、好ましくは軟質部材、例えば軟質樹脂や合成ゴム等よりなり、前記抱持部３２に当接する凸状曲面３４と、側辺１１ｃの延出片７０を噛持する凹部７１と、前記凸状曲面３４より連続して前記延出片７０の基端側に延びる支持片７２とより構成されている。
【００４２】
また、抱持部３２は、例えばアルミニウム型材で構成されており、案内面３３に連続し且つ前記凸状曲面３４に対して面接触する凹状曲面３５が設けられ、また、突起部前側に延びた部位には、当該折戸パネル２を閉じた状態において受け入れた突起部３１の前側部分３６を係止するための係止爪３７が設けられ、さらに案内面３３からパネル体５の後面側に延び、Ｌ型に屈曲して当該後面に取付ネジ７４にて取り付けられる支持脚７３が設けられている。
【００４３】
このような突起部３１と抱持部３２からなる閉止装置３０を設けることにより、万一指を挟んでも痛くなく、閉止状態におけるガタも防止される。また、折戸パネルを閉じる際にはその遊側辺５ｃとこれに対向するスライドパネル側辺１１ｃが互いに誘い込まれ、双方のパネルを確実に閉止できるのである。図１４は当該誘い込みの様子が示されており、図１４（ａ）は折戸パネルを閉じることでパネル体５がパネル体１１と同一平面に並ぶに従い、突起部３１が抱持部３２の案内面３３に摺動案内されながら次第に深く誘い込まれ、完全に閉じた状態においては図１４（ｂ）に示すように抱持部３２の凹状曲面３５に突起部３１の凸状曲面３４に面接触した状態に嵌め込まれとともに、突起部３１の前側部分３６が係止爪３７により係止され、安定保持されるのである。
【００４４】
このように折戸パネルとスライドパネルの隣接する側辺に設けた閉止装置３０は、図１５に示すように折戸パネル２のパネル体５がパネル体１１に対し傾斜している開放状態において抱持部３２の案内面３３に突起部３１が接触しており、この状態から折戸パネル２を閉じれば、パネル体１１が閉じる方向に押され、結果としてスライドパネル３を操作することなく折戸パネルを操作するだけで双方のパネルを閉じることができる。同じく、図１４（ｂ）の閉じた状態からスライドパネル３を折戸パネル２側に開けば、突起部３１に押されて、少し傾斜した後は折戸パネル２を操作することなくスライドパネル３を操作するだけで双方のパネルを開くことができるのである。
【００４５】
尚、本例ではスライドパネル同士の隣接側辺１１ｃ、１１ｃにも同様の閉止装置３０が設けられており、パネルを閉じる際には、図１４（ｃ）に示す状態から突起部３１の前側部分３６が係止爪３７を乗り越え、図１４（ｂ）と同様に安定保持されることになる。
【００４６】
これら閉止装置３０は図１１、１２に示すように、側辺５ｃ、１１ｃの高さ方向に長く構成されており、閉じたパネルをガタツキなく安定して保持する機能を有している。尚、本発明はこれに限らず、例えば突起部３１、抱持部３２の一方又は双方を高さ方向に沿って所定間隔をおいて複数設けたものであってもよい。
【００４７】
折戸パネル２，２と床面ＦＬとの間には、図１０及び図１１に示すように、折戸パネルの支持手段として、閉じた折戸パネル２のパネル体５後面に取り付けられた磁性板５０に対し脱着自在に固着するマグネットキャッチ５１が設けられている。
【００４８】
また、折戸パネル２を構成しているパネル体５、５の隣接側辺５ａ，５ａ間の間隙には、第１実施形態と同様、指詰め防止材２０Ａが設けられており、本例では、間隙を一方の側辺後縁から他方の側辺前縁向けて斜めに延びる指排出案内片を設けることにより、折戸パネル２を閉じるに従って間隙に入った指を前方向に排出できる構造を採用したことで、更なる安全性が高められている。
【００４９】
折戸パネル２を吊下げ支持するランナー９Ａは、第１実施形態と同様、ローラー１８を備えたランナー本体９ａと、パネル体５の裏面に取着されて該遊側辺５ｃから側方に延出するランナーベース９ｂと、ランナー本体９ａ及びランナーベース９ｂを回動可能に連結する連結体９ｃとより構成されており、本例では、折戸パネル２とスライドパネル３、スライドパネル３同士がそれぞれ突起部３１と抱持部３２で衝突し、ランナー９Ａ、９Ｂは互いに衝突せず、衝突させる必要もないことから、連結体９ｃ側面の緩衝材は省略され、また、ランナーベース９ｂは断面Ｌ型の板状部材より構成されている。
尚、折戸パネルの側辺５ｂを支持する支柱８には、折戸を開いた際にランナー９Ａのランナー本体９ａに当接する緩衝材４０が設けられている。
【００５０】
スライドパネル３を吊下げ支持するランナー９Ｂも、ランナーベース９ｂは断面Ｌ型の板状部材より構成されており、スライドパネル３，３を吊下用ガイドレール４に沿って水平方向に移動させることができる。
【００５１】
その他、折戸パネル２，２の側面には、スライドパネルや固定パネル等を適宜配設することができ、スライドパネル３の幅や枚数も適宜選択できる。また、折戸パネル２は両隣に隣接させずに、いずれか一方のみであってもよいことなどは、上述の第１実施形態と同様である。また、必要に応じ、開閉を通じてスライドパネル３の後方に隠れる位置に支柱６０が配設される。
その他の構造については、基本的には上述の第１実施形態と同様であるので、同一構造には同一符号を付してその説明は省略する。
【図面の簡単な説明】
【００５２】
【図１】本発明の第１実施形態に係る壁面装置を示す正面図。
【図２】同じく壁面装置を示す横断平面図。
【図３】折戸パネルの縦断側面図。
【図４】スライドパネルの縦断側面図。
【図５】折戸パネルのパネル体後面へ取着するランナーの構造を示す説明用斜視図。
【図６】折戸パネルの動作説明用平面図。
【図７】スライドパネル下部の振れ止めの構造を示す説明用斜視図。
【図８】壁面装置の構成例を示し、（ａ）は正面図、（ｂ）ないし（ｄ）は動作説明用の平面図。
【図９】本発明の第２実施形態に係る壁面装置を示す正面図。
【図１０】同じく壁面装置を示す横断面図。
【図１１】折戸パネルの縦断側面図。
【図１２】スライドパネルの縦断側面図。
【図１３】開いた状態を示す壁面装置の横断面図。
【図１４】（ａ）〜（ｃ）は閉止装置を示す説明図。
【図１５】開いた状態を示す壁面装置の要部の横断面図。
【符号の説明】
【００５３】
１、１Ａ  壁面装置
２  折戸パネル
３  スライドパネル
４  吊下用ガイドレール
５  パネル体
５ａ  隣接側辺
５ｃ  遊側辺
６  センターヒンジ
７  ヒンジ
８  支柱
９、９Ａ、９Ｂ  ランナー
９ａ  ランナー本体
９ｂ  ランナーベース
９ｃ  連結体
１１  パネル体
１２  天レール
１６  振れ止め
１６ａ  ローラー
１７  振れ止めカバー
２０、２０Ａ  指詰め防止材
２２  ボルト
２３  固定パネル
２４  地レール
２５  支柱
３０  閉止装置
３１  突起部
３２  抱持部
３３  案内面
３４  凸状曲面
３５  凹状曲面
３６  前側部分
３７  係止爪
４０  緩衝材
５０  磁性板
５１  マグネットキャッチ
６０  支柱
７０  延出片
７１  凹部
７２  支持片
７３  支持脚
７４  取付ネジ
ＣＬ  天井
ＦＬ  床面
ＳＷ  側壁
Ａ  鉛直回動軸
Ｂ  ランナーベースの延出部
Ｓ  収納又は点検スペース
【図１】
2005188273.tif 000003
【図２】
2005188273.tif 000004
【図３】
2005188273.tif 000005
【図４】
2005188273.tif 000006
【図５】
2005188273.tif 000007
【図６】
2005188273.tif 000008
【図７】
2005188273.tif 000009
【図８】
2005188273.tif 000010
【図９】
2005188273.tif 000011
【図１０】
2005188273.tif 000012
【図１１】
2005188273.tif 000013
【図１２】
2005188273.tif 000014
【図１３】
2005188273.tif 000015
【図１４】
2005188273.tif 000016
【図１５】
2005188273.tif 000017